(57)【特許請求の範囲】
【請求項１】
複数の信号ラインを有する第１の基板と対向電極および該対向電極と同電位とされたブラックマトリクスを有する第２の基板とがほぼ枠状のシール材を介して貼り合わされ、前記信号ラインが引き回し線に接続された液晶表示装置において、前記引き回し線はそれに接続された前記信号ラインの延長線上に位置する延長部分および該延長部分に直交する直交部分を有し、前記引き回し線の延長部分と直交部分との交点の少なくとも一部は前記シール材と重なる領域に配置され、前記ブラックマトリクスは前記シール材と重なる領域に配置された前記引き回し線の前記交点と重ならない領域に配置されていることを特徴とする液晶表示装置。
【請求項２】
請求項１に記載の発明において、前記引き回し線の前記交点の近傍における前記ブラックマトリクスの一側縁部は前記シール材の内側に配置されていることを特徴とする液晶表示装置。
【請求項３】
請求項２に記載の発明において、前記引き回し線の前記交点の少なくとも一部は前記シール材と重なる領域に配置されていることを特徴とする液晶表示装置。
【請求項４】
請求項３に記載の発明において、前記引き回し線の前記交点は前記シール材と重なる領域およびその外側に配置されていることを特徴とする液晶表示装置。
【請求項５】
請求項３に記載の発明において、前記引き回し線の前記交点は前記シール材と重なる領域およびその内側と外側に配置されていることを特徴とする液晶表示装置。
【請求項６】
請求項１〜５のいずれかに記載の発明において、前記第１の基板は前記第２の基板から突出する突出部を有し、該突出部上に走査信号供給用の半導体チップおよびデータ信号供給用の半導体チップが搭載されていることを特徴とする液晶表示装置。
【請求項７】
請求項１〜６のいずれかに記載の発明において、前記引き回し線はそれに接続された前記信号ラインの両側に配置されていることを特徴とする液晶表示装置。
【発明の詳細な説明】
【０００１】
【発明の属する技術分野】
この発明は液晶表示装置に関する。
【０００２】
【従来の技術】
図６は従来の液晶表示装置の一部の等価回路的透過平面図を示したものである。この液晶表示装置は、アクティブ基板１と該アクティブ基板１の上方に位置する対向基板２とがほぼ方形枠状のシール材３を介して貼り合わされ、シール材３の内側における両基板１、２間に液晶（図示せず）が封入されたものからなっている。この場合、アクティブ基板１の下辺部は対向基板２から突出されている。以下、この突出部を下辺突出部１ａという。また、シール材３は、図６において一点鎖線で示す表示領域４の外側に配置されている。
【０００３】
アクティブ基板１上の表示領域４には複数の走査信号ライン５および複数のデータ信号ライン６が行方向および列方向に延びて設けられている。両ライン５、６の各交点近傍には、図示していないが、両ライン５、６に接続された薄膜トランジスタおよびこの薄膜トランジスタによって駆動される画素電極がマトリクス状に配置されている。
【０００４】
走査信号ライン５の右端部は、その右側に設けられた引き回し線７を介して、アクティブ基板１の下辺突出部１ａ上の右側の点線で示す走査線駆動用の半導体チップ搭載領域８内に設けられた出力側接続端子９に接続されている。データ信号ライン６の下端部は、その下側に設けられた引き回し線１０を介して、アクティブ基板１の下辺突出部１ａ上の左側の点線で示すデータ線駆動用の半導体チップ搭載領域１１内に設けられた出力側接続端子１２に接続されている。上記において、引き回し線７および引き回し線１０は、それぞれ、両端の２本のみが図示されている。
【０００５】
半導体チップ搭載領域８内およびその外側には入力側接続端子１３および該入力側接続端子１３に接続された外部接続端子１４が設けられている。半導体チップ搭載領域８上には、図示していないが、走査信号ライン５に走査信号を供給する走査線駆動用の半導体チップが出力側接続端子９および入力側接続端子１３に接続されて搭載されている。半導体チップ搭載領域１１内およびその外側には入力側接続端子１５および該入力側接続端子１５に接続された外部接続端子１６が設けられている。半導体チップ搭載領域１１上には、図示していないが、データ信号ライン６にデータ信号を供給するデータ線駆動用の半導体チップが出力側接続端子１２および入力側接続端子１５に接続されて搭載されている。
【０００６】
対向基板２の下面にはブラックマトリクス１７、カラーフィルタ（図示せず）およびＩＴＯ等の透明な金属からなる対向電極（図示せず）が設けられている。カラーフィルタは表示領域４内に設けられ、対向電極は表示領域４内から表示領域４の周辺部に亘りベタ状に形成され、ブラックマトリクス１７は、表示領域４内では各カラーフィルタの境界のみに格子状に形成され、表示領域外では４辺の全てがシール材３よりも少し大きな外側縁１７ａを有する数mmの幅の方形枠形状とされ、一部が対向電極上に重合して該対向電極と同電位となるようになっている。
【０００７】
次に、走査信号ライン５の右端部と出力側接続端子９とを接続する引き回し線７の一部について、図７を参照して説明する。引き回し線７は、走査信号ライン５の延長線上に位置する延長部分７ａおよび該延長部分７ａに直交する直交部分７ｂを有している。この場合、延長部分７ａのピッチは走査信号ライン５のピッチと同じであり、直交部分７ｂのピッチは走査信号ライン５のピッチよりも小さくなっている。また、各延長部分７ａと各直交部分７ｂとの各交点７ｃは、すべてブラックマトリクス１７の表示領域４の領域外で外側縁１７ａの内側に形成され、特に、交点７ｃの中の表示領域４側に位置するものは、ブラックマトリクス１７がシール材３と重なっている領域に形成されている。
【０００８】
つまり、この液晶表示装置は、アクティブ基板１の下辺突出部１ａにデータ線駆動用の半導体チップ搭載領域１１と走査線駆動用の半導体チップ搭載領域８を設け、半導体チップ搭載領域１１内の出力側接続端子１２に、表示領域４内で平行に延出されるデータ信号ライン６を表示領域４側に向けて扇状にピッチが拡大する引き回し部１０を介して接続し、走査線駆動用の半導体チップ搭載領域８内の出力側接続端子９に、表示領域４内でデータ信号ライン６と直交する方向に平行に延出される走査信号ライン５を、表示領域４の領域外で該走査信号ライン５とは直交する方向に延出される直交部分７ｂを有する引き回し部７を介して接続したものであり、この液晶表示装置は、データ線駆動用の半導体チップと走査線駆動用の半導体チップとが、アクティブ基板１の一辺側にのみ搭載されるので、この一辺と直交する方向の液晶表示装置の大きさを小さくすることができるため、携帯電話等できるだけ狭い幅とすることが要求される電子機器に好適である。
【０００９】
【発明が解決しようとする課題】
ところで、上記従来の液晶表示装置では、引き回し線７の延長部分７ａと直交部分７ｂとが直角に折曲される交点７ｃの一部がブラックマトリクス１７がシール材３と重なる領域に形成されているので、走査信号電位となる引き回し線７の交点７ａと対向電極と同電位となるブラックマトリクス１７との間に生じる比較的大きな電位差に起因して、シール材３から溶出したイオン性不純物が引き回し線７の交点７ａに集中し、引き回し線７の交点７ａで腐食が発生することがあるという問題があった。
この発明の課題は、シール材から溶出するイオン性不純物に起因する引き回し線の交点の腐食を防止することである。
【００１０】
【課題を解決するための手段】
請求項１に記載の発明は、複数の信号ラインを有する第１の基板と対向電極および該対向電極と同電位とされたブラックマトリクスを有する第２の基板とがほぼ枠状のシール材を介して貼り合わされ、前記信号ラインが引き回し線に接続された液晶表示装置において、前記引き回し線はそれに接続された前記信号ラインの延長線上に位置する延長部分および該延長部分に直交する直交部分を有し、前記引き回し線の延長部分と直交部分との交点の少なくとも一部は前記シール材と重なる領域に配置され、前記ブラックマトリクスは前記シール材と重なる領域に配置された前記引き回し線の前記交点と重ならない領域に配置されていることを特徴とするものである。
請求項２に記載の発明は、請求項１に記載の発明において、前記引き回し線の前記交点の近傍における前記ブラックマトリクスの一側縁部は前記シール材の内側に配置されていることを特徴とするものである。
請求項３に記載の発明は、請求項２に記載の発明において、前記引き回し線の前記交点の少なくとも一部は前記シール材と重なる領域に配置されていることを特徴とするものである。
請求項４に記載の発明は、請求項３に記載の発明において、前記引き回し線の前記交点は前記シール材と重なる領域およびその外側に配置されていることを特徴とするものである。
請求項５に記載の発明は、請求項３に記載の発明において、前記引き回し線の前記交点は前記シール材と重なる領域およびその内側と外側に配置されていることを特徴とするものである。
請求項６に記載の発明は、請求項１〜５のいずれかに記載の発明において、前記第１の基板は前記第２の基板から突出する突出部を有し、該突出部上に走査信号供給用の半導体チップおよびデータ信号供給用の半導体チップが搭載されていることを特徴とするものである。
請求項７に記載の発明は、請求項１〜６のいずれかに記載の発明において、前記引き回し線はそれに接続された前記信号ラインの両側に配置されていることを特徴とするものである。
請求項１に記載の発明によれば、引き回し線の交点の少なくとも一部をシール材と重なる領域に配置し、ブラックマトリクスをシール材と重なる領域に配置された引き回し線の交点と重ならない領域に配置しているので、シール材と重なる領域に配置された引き回し線の交点がブラックマトリクスと対向しないようにすることができ、これによりシール材から溶出するイオン性不純物が引き回し線の交点に集中しないようにすることができ、したがってシール材から溶出するイオン性不純物に起因する引き回し線の交点の腐食を防止することができる。
【００１１】
【発明の実施の形態】
図１はこの発明の第１実施形態における液晶表示装置の要部の等価回路的透過平面図を示したものである。この図において、説明の都合上、図６に示す従来例のものと同一名称部分には同一の符号を付して説明することとする。
【００１２】
この液晶表示装置は、アクティブ基板１と該アクティブ基板１の上方に位置する対向基板２とがほぼ方形枠状のシール材３を介して貼り合わされ、シール材３の内側における両基板１、２間に液晶（図示せず）が封入されたものからなっている。この場合、アクティブ基板１の下辺部は対向基板２から突出されている。以下、この突出部を下辺突出部１ａという。また、シール材３は、図１において一点鎖線で示す表示領域４の外側に配置されている。
【００１３】
アクティブ基板１上の表示領域４には複数の走査信号ライン５および複数のデータ信号ライン６が行方向および列方向に延びてつまり互いに直交して設けられている。両ライン５、６の各交点近傍には、図示していないが、両ライン５、６に接続された薄膜トランジスタおよびこの薄膜トランジスタによって駆動される画素電極がマトリクス状に配置されている。
【００１４】
走査信号ライン５の右端部は、その右側に設けられた引き回し線７を介して、アクティブ基板１の下辺突出部１ａ上の右側の点線で示す走査線駆動用の半導体チップ搭載領域８内に設けられた出力側接続端子（走査信号端子）９に接続されている。データ信号ライン６の下端部は、その下側に設けられた引き回し線１０を介して、アクティブ基板１の下辺突出部１ａ上の左側の点線で示すデータ線駆動用の半導体チップ搭載領域１１内に設けられた出力側接続端子（データ信号端子）１２に接続されている。上記において、引き回し線７および引き回し線１０は、それぞれ、両端の２本のみが図示されている。
【００１５】
半導体チップ搭載領域８内およびその外側には入力側接続端子１３および該入力側接続端子１３に接続された外部接続端子１４が設けられている。半導体チップ搭載領域８上には、図示していないが、走査信号ライン５に走査信号を供給する走査線駆動用の半導体チップが出力側接続端子９および入力側接続端子１３に接続されて搭載されている。半導体チップ搭載領域１１内およびその外側には入力側接続端子１５および該入力側接続端子１５に接続された外部接続端子１６が設けられている。半導体チップ搭載領域１１上には、図示していないが、データ信号ライン６にデータ信号を供給するデータ線駆動用の半導体チップが出力側接続端子１２および入力側接続端子１５に接続されて搭載されている。
【００１６】
対向基板２の下面にはブラックマトリクス１７、カラーフィルタ（図示せず）およびＩＴＯ等の透明な金属からなる対向電極（図示せず）が設けられている。カラーフィルタは表示領域４内に設けられ、対向電極は表示領域４内から表示領域４の周辺部に亘りベタ状に形成され、ブラックマトリクス１７は、表示領域４内では各カラーフィルタの境界のみに格子状に形成され、表示領域外では数mmの幅の方形枠形状とされ、一部が対向電極上に重合して該対向電極と同電位となるようになっている。この場合、ブラックマトリクス１７の上辺、下辺および左辺の外側縁は、シール材３のうち液晶注入口形成部３ａを除く実質的にほぼ方形枠状の部分の上辺、下辺および左辺の外側に配置され、ブラックマトリクス１７の右辺の外側縁１７ａは、表示領域４の外側においてシール材３の右辺の内側に配置されている。
【００１７】
次に、走査信号ライン５の右端部と出力側接続端子９とを接続する引き回し線７の一部について、図２を参照して説明する。引き回し線７は、走査信号ライン５の延長線上に位置する延長部分７ａおよび該延長部分７ａに直交する直交部分７ｂを有している。この場合、延長部分７ａのピッチは走査信号ライン５のピッチと同じであり、直交部分７ｂのピッチは走査信号ライン５のピッチよりも小さくなっている。また、各延長部分７ａと各直交部分７ｂとの各交点７ｃは、ブラックマトリクス１７の右辺の外側縁１７ａの外側（右側）において、シール材３と重なる領域およびその外側に配置されている。ここで、ブラックマトリクス１７の右辺の外側縁１７ａとシール材３との間隔Ｗ１はシール材３の幅Ｗ２よりも小さくなっているが、この間隔Ｗ１は光漏れを起こさないようになるべく小さい方が好ましい。
【００１８】
以上のように、この液晶表示装置では、ブラックマトリクス１７の右辺の外側縁１７ａをシール材３の内側に配置し、引き回し線７の交点７ｃをブラックマトリクス１７の右辺の外側縁１７ａの外側に配置しているので、シール材３と重なる領域に配置された引き回し線７の交点７ｃがブラックマトリクス１７と対向しないようにすることができる。この結果、走査信号電位となる引き回し線７の交点７ａと対向電極と同電位となるブラックマトリクス１７との間に比較的大きな電位差が生じることがなく、シール材３から溶出するイオン性不純物が引き回し線７の交点７ｃに集中しないようにすることができ、したがってシール材３から溶出するイオン性不純物に起因する引き回し線７の交点７ｃの腐食を防止することができる。
【００１９】
なお、上記第１実施形態では、図２に示すように、引き回し線７の交点７ｃをブラックマトリクス１７の右辺の外側縁１７ａの外側（右側）においてシール材３と重なる領域およびその外側に配置した場合について説明したが、これに限定されるものではない。例えば、図３に示すこの発明の第２実施形態のように、ブラックマトリクス１７の右辺の外側縁１７ａとシール材３との間隔Ｗ１（図２参照）はなるべく小さい方が好ましいが、この間隔Ｗ１内に引き回し線７の直交部分７ｂを配置するようにしてもよい。すなわち、引き回し線７の交点７ｃをブラックマトリクス１７の右辺の外側縁１７ａの外側（右側）においてシール材３と重なる領域およびその内側と外側に配置するようにしてもよい。
【００２０】
また、図４に示すこの発明の第３実施形態のように、ブラックマトリクス１７の右辺の外側縁１７ａの内側（左側）に引き回し線７の直交部分７ｂを配置するようにしてもよい。このようにしても、シール材３と重なる領域に配置された引き回し線７の交点７ｃはブラックマトリクス１７と対向しないので、別に問題はない。なお、図２、図３、図４において、引き回し線７の本数が異なるが、これは図示の都合上である。
【００２１】
また、上記第１実施形態では、図１に示すように、引き回し線７をアクティブ１の右辺部上にのみ配置した場合について説明したが、これに限定されるものではない。例えば、図５に示すこの発明の第４実施形態のようにしてもよい。すなわち、この実施形態では、アクティブ基板１の下辺突出部１ａ上の中央にデータ線駆動用の半導体チップ搭載領域１１が形成され、その左右両側に走査線駆動用の半導体チップ搭載領域８Ａおよび８Ｂが形成されている。そして、走査信号ライン５のうち上側の約１／２のものの右端部は、その右側に設けられた引き回し線７Ａを介して、アクティブ基板１の下辺突出部１ａ上の右側の点線で示す走査線駆動用の半導体チップ搭載領域８Ａ内に設けられた出力側接続端子９Ａに接続されている。走査信号ライン５のうち下側の約１／２のものの左端部は、その左側に設けられた引き回し線７Ｂを介して、アクティブ基板１の下辺突出部１ａ上の左側の点線で示す走査線駆動用の半導体チップ搭載領域８Ｂ内に設けられた出力側接続端子９Ｂに接続されている。上記において、引き回し線７Ａおよび引き回し線７Ｂは、それぞれ、両端の２本のみが図示されている。
【００２２】
この場合、ブラックマトリクス１７の右辺の外側縁１７ａおよび左辺の外側縁１７ｂはシール材３の内側に配置されている。そして、右側の引き回し線７Ａの交点７ｃはブラックマトリクス１７の右辺の外側縁１７ａの外側に配置され、左側の引き回し線７Ｂの交点７ｃはブラックマトリクス１７の左辺の外側縁１７ｂの外側に配置されている。
【００２３】
図５に示すこの発明の第４実施形態では、アクティブ基板１の下辺突出部１ａ上の中央にデータ線駆動用の半導体チップ搭載領域１１を形成し、その左右両側に走査線駆動用の半導体チップ搭載領域８Ａおよび８Ｂを形成して、走査信号ライン５のほぼ半数ずつを、それぞれ、アクティブ基板１のシール材３が形成される側縁部に少なくとも一部が該シール材３に重ねて形成された引き回し線７Ａおよび７Ｂを介して左右の走査線駆動回路に接続しているので、アクティブ基板１のシール材３より外側の部分を小さくすることが可能となり、ひいてはアクティブ基板１の図５における左右方向の幅を小さくすることができる。この場合、ブラックマトリクス１７を樹脂で形成するような場合には、ブラックマトリクス１７の外側縁１７ａおよび１７ｂを引き回し線７Ａおよび７Ｂの交点７ｃに重ねて形成することもできる。
【００２４】
なお、上記各実施形態では、ブラックマトリクス１７の右辺の外側縁１７ａ（および左辺の外側縁１７ｂ）をシール材３の内側に配置した場合について説明したが、これに限らず、図示していないが、ブラックマトリクス１７を、その右辺の外側縁１７ａ（および左辺の外側縁１７ｂ）の少なくとも一部をシール材３の外側に配置するとしても、シール材３と重なる領域に配置された引き回し線７（７Ａ、７Ｂ）の交点７ｃと少なくとも重ならない領域に配置するようにしてもよい。
【００２５】
さらに、上記各実施形態では、アクティブ基板１の下辺部を対向基板２から突出させ、この下辺突出部１ａ上に半導体チップを搭載する場合について説明したが、これに限らず、図示していないが、アクティブ基板１の右辺部を対向基板２から突出させ、この右辺突出部上に半導体チップを搭載するようにしてもよい。この場合、データ信号ライン６に接続された引き回し線１０に交点が形成されるので、対象となる引き回し線はこの引き回し線１０である。また、この発明は、走査線駆動用およびデータ線駆動用の集積回路は、半導体チップを搭載する場合に限らず、アクティブ基板１上に、直接、薄膜トランジスタで形成したり、あるいは、パッシブ型の液晶表示装置に適用することも可能である。
【００２６】
【発明の効果】
以上説明したように、この発明によれば、シール材と重なる領域に配置された引き回し線の交点がブラックマトリクスと対向しないようにしているので、シール材から溶出するイオン性不純物が引き回し線の交点に集中しないようにすることができ、したがってシール材から溶出するイオン性不純物に起因する引き回し線の交点の腐食を防止することができる。
【図面の簡単な説明】
【図１】この発明の第１実施形態における液晶表示装置の要部の等価回路的透過平面図。
【図２】図１に示す液晶表示装置の一部を拡大した透過平面図。
【図３】この発明の第２実施形態における液晶表示装置の図２同様の透過平面図。
【図４】この発明の第３実施形態における液晶表示装置の図２同様の透過平面図。
【図５】この発明の第４実施形態における液晶表示装置の図１同様の等価回路的透過平面図。
【図６】従来の液晶表示装置の一部の等価回路的透過平面図。
【図７】図６に示す液晶表示装置の一部を拡大した透過平面図。
【符号の説明】
１  アクティブ基板
１ａ  下辺突出部
２  対向基板
３  シール材
４  表示領域
５  走査信号ライン
６  データ信号ライン
７  引き回し線
７ａ  延長部分
７ｂ  直交部分
７ｃ  交点
８  半導体チップ搭載領域
１０  引き回し線
１１  半導体チップ搭載領域
１７  ブラックマトリクス
【図１】
0003786180.tif 000002
【図２】
0003786180.tif 000003
【図３】
0003786180.tif 000004
【図４】
0003786180.tif 000005
【図５】
0003786180.tif 000006
【図６】
0003786180.tif 000007
【図７】
0003786180.tif 000008